(57)【特許請求の範囲】
【請求項１】
複数種類の試験モジュールにより、被試験対象を試験するテストシステムにおいて、
前記試験モジュールの使用時間を計測する時間計測手段と、
この時間計測手段の使用時間により使用料を算出する使用料算出手段と、
この使用料算出手段の使用料を暗号化する暗号化手段と、
機密性が保持されないネットワークの宛先に、前記暗号化手段により暗号化されたデータを電子メール、ＦＴＰ、ＨＴＴＰのいずれかで送信し、機密性が保持されるネットワーク内の宛先に、暗号化されていない前記使用料算出手段の使用料を電子メールで送信する送信手段と
を有することを特徴とするテストシステム。
【請求項２】
複数種類の試験モジュールにより、被試験対象を試験するテストシステムにおいて、
前記試験モジュールの使用時間を計測する時間計測手段と、
この時間計測手段の使用時間により使用料を算出する使用料算出手段と、
機密性が保持されないネットワークの宛先に、前記使用料算出手段の使用料を、電子メール、ＦＴＰ、ＨＴＴＰのいずれかで暗号化して送信し、機密性が保持されるネットワーク内の宛先に、前記使用料算出手段の使用料を電子メールで暗号化せずに送信する送信手段と
を有することを特徴とするテストシステム。
【請求項３】
複数種類の試験モジュールにより、被試験対象を試験するテストシステムの課金方法において、
前記試験モジュールの使用時間を計測し、
この使用時間により使用料を算出し、
この使用料を暗号化して、機密性が保持されないネットワークの宛先に、暗号化されたデータを、電子メール、ＦＴＰ、ＨＴＴＰのいずれかで送信し、機密性が保持されるネットワーク内の宛先に、暗号化されていない使用料を電子メールで送信することを特徴とするテストシステムの課金方法。
【請求項４】
複数種類の試験モジュールにより、被試験対象を試験するテストシステムの課金方法において、
前記試験モジュールの使用時間を計測し、
この使用時間により使用料を算出し、
この使用料を、機密性が保持されないネットワークの宛先に、電子メール、ＦＴＰ、ＨＴＴＰのいずれかで暗号化して送信し、使用料を、機密性が保持されるネットワーク内の宛先に、電子メールで暗号化せずに送信することを特徴とするテストシステムの課金方法。
【発明の詳細な説明】
【０００１】
【発明の属する技術分野】
本発明は、複数種類の試験モジュールにより、被試験対象を試験するテストシステム及びテストシステムの課金方法に関し、機密性を維持しつつ、資金効率がよく、自動的に課金が行えるテストシステム及びテストシステムの課金方法に関するものである。
【０００２】
【従来の技術】
ＩＣテスタは、高額なため、ＩＣ、ＬＳＩ等の被試験対象（以下ＤＵＴと略す）の種類によって、試験モジュールを選択して、購入されている。しかし、ＤＵＴの種類が異なれば、試験モジュールの変更、追加、あるいは、ＩＣテスタ自体を変えなければならなかった。また、設備を購入する以外の手法としてはリースやレンタルなどがある。しかし、リースは、試用期間が設定され、稼動しなくとも料金を支払う必要がある。レンタルは、ＩＣテスタが高額な上、使用状況により、オプション設定が違うなど、レンタル会社側が設備投資をし難い。そこで、使用量（使用時間）に応じた料金支払方式、いわゆるペイパーユースの要望が強い。
【０００３】
ペイパーユースを回路基板試験システムに適用した例が、特開平７−１８１２３５号公報、特開平７−２６０８８１号公報等に記載されている。この例は、事前に使用料を支払い、支払った使用料から実際に使用した使用料を差し引いていくものである。
【０００４】
【発明が解決しようとする課題】
このようなシステムでは、事前に使用料を支払っていなければならないので、資金効率が悪い。一方、ＩＣテスタの使用環境は、機密性が高い場所に設置される。そのため、事後課金を行う場合、外部接続となるが、通常、機密性が損なわれるため、外部接続は許可されない。このため、ＩＣテスタの使用状況を外部から確認することができないので、使用状況を確認しに行くか、使用者に申告してもらわなければならないという問題点があった。
【０００５】
そこで、本発明の目的は、機密性を維持しつつ、資金効率がよく、自動的に課金が行えるテストシステム及びテストシステムの課金方法を実現することにある。
【０００６】
【課題を解決するための手段】
請求項１記載の本発明は、
複数種類の試験モジュールにより、被試験対象を試験するテストシステムにおいて、
前記試験モジュールの使用時間を計測する時間計測手段と、
この時間計測手段の使用時間により使用料を算出する使用料算出手段と、
この使用料算出手段の使用料を暗号化する暗号化手段と、
機密性が保持されないネットワークの宛先に、前記暗号化手段により暗号化されたデータを電子メール、ＦＴＰ、ＨＴＴＰのいずれかで送信し、機密性が保持されるネットワーク内の宛先に、暗号化されていない前記使用料算出手段の使用料を電子メールで送信する送信手段と
を有することを特徴とするものである。
【０００８】
請求項２記載の本発明は、
複数種類の試験モジュールにより、被試験対象を試験するテストシステムにおいて、
前記試験モジュールの使用時間を計測する時間計測手段と、
この時間計測手段の使用時間により使用料を算出する使用料算出手段と、
機密性が保持されないネットワークの宛先に、前記使用料算出手段の使用料を、電子メール、ＦＴＰ、ＨＴＴＰのいずれかで暗号化して送信し、機密性が保持されるネットワーク内の宛先に、前記使用料算出手段の使用料を電子メールで暗号化せずに送信する送信手段と
を有することを特徴とするものである。
【００１０】
請求項３記載の本発明は、
複数種類の試験モジュールにより、被試験対象を試験するテストシステムの課金方法において、
前記試験モジュールの使用時間を計測し、
この使用時間により使用料を算出し、
この使用料を暗号化して、機密性が保持されないネットワークの宛先に、暗号化されたデータを、電子メール、ＦＴＰ、ＨＴＴＰのいずれかで送信し、機密性が保持されるネットワーク内の宛先に、暗号化されていない使用料を電子メールで送信することを特徴とするものである。
【００１１】
請求項４記載の本発明は、
複数種類の試験モジュールにより、被試験対象を試験するテストシステムの課金方法において、
前記試験モジュールの使用時間を計測し、
この使用時間により使用料を算出し、
この使用料を、機密性が保持されないネットワークの宛先に、電子メール、ＦＴＰ、ＨＴＴＰのいずれかで暗号化して送信し、使用料を、機密性が保持されるネットワーク内の宛先に、電子メールで暗号化せずに送信することを特徴とするものである。
【００１２】
【発明の実施の形態】
以下図面を用いて本発明の実施の形態を説明する。図１は本発明の一実施例を示した構成図である。
【００１３】
図１において、テストシステム１は、図示しないＤＵＴの試験を行う。ハンドラ２は搬送装置で、テストシステム１と信号の授受を行い、パッケージ状のＤＵＴを順次搬送して、テストシステム１にＤＵＴを順次取り外し、取り付けを行う。また、搬送装置はハンドラの代わりに、ウェハ状のＤＵＴを搬送するプローバにしてもよい。
【００１４】
そして、テストシステム１は、テストヘッド３、複数のＡＣ測定モジュール４、複数のデジタルファンクションモジュール５、複数のＤＣ測定モジュール６、記憶部７、テスタコントローラ８、ホストコンピュータ９から構成される。
【００１５】
テストヘッド３は、ＤＵＴと電気的に接続し、信号の授受を行う。ＡＣ測定モジュール４は、テストヘッド３に電気的に接続し、交流信号の発生、測定を行う。デジタルファンクションモジュール５は、テストヘッド３に電気的に接続し、デジタル信号の発生、試験を行う。ＤＣ測定モジュール６は、テストヘッド３に電気的に接続し、直流信号の発生、測定を行う。ここで、ＡＣ測定モジュール４、デジタルファンクションモジュール５、ＤＣ測定モジュール６が、試験モジュールである。
【００１６】
記憶部７は、プロブラム記憶部７１と時間記憶部７２からなる。プログラム記憶部７１はテストプログラムを記憶する。時間記憶部７２は、試験モジュールの使用時間を記憶する。テスタコントローラ８は、プログラム記憶部７１のテストプログラムを読み込み、バスＢを介して、ＡＣ測定モジュール４、デジタルファンクションモジュール５、ＤＣ測定モジュール６の制御を行い、試験モジュールの使用時間を時間記憶部７２に格納する。
【００１７】
また、テスタコントローラ８は、ネットワークＬに接続し、解析手段８１、テスト実行手段８２、時間計測手段８３が設けられる。解析手段８１は、テストプログラムの試験モジュールの使用状況を解析する。テスト実行手段８２は、テストプログラムにより、試験モジュール、ハンドラ２の制御を行い、テストを実行する。時間計測手段８３は、テストの実行を監視し、時間を計測し、時間記憶部７２に格納する。
【００１８】
ホストコンピュータ９は、ネットワークＬに接続し、システム全体の制御等を行い、使用料算出手段９１、暗号化手段９２、電子メール手段９３が設けられる。使用料算出手段９１は、テスタコントローラ８を介して、時間記憶部７２の使用時間データを読み込み、単位時間当たりの試験モジュールごとに決められる使用料に基づいて、使用料を算出する。暗号化手段９２は、使用料算出手段９１の使用料を暗号化する。電子メール手段９３は送信手段で、機密性が保持されないネットワークの宛先に、暗号化手段９２により暗号化されたデータをネットワークＬを介して送信し、機密性が保持されるネットワークＬ内の宛先に、使用料算出手段９１の使用料を電子メールで送信する。
【００１９】
このような装置の動作を以下で説明する。図２，３は図１に示す装置の動作を示したフローチャートで、図２はテスト動作、図３は使用料算出、送信動作を示す。
【００２０】
テスタコントローラ８は、プログラム記憶部７１のテストプログラムを読み込む（Ｓ１１）。そして、解析手段８１が、テストプログラムの試験モジュールの使用状況を解析し、どの試験モジュールがいくつ使用されるかを、時間計測手段８３に通知する（Ｓ１２）。次に、テスト実行手段８２が、テストプログラムを実行し、テストプトグラムに従って、ハンドラ２、ＡＣ測定モジュール４、デジタルファンクションモジュール５、ＤＣ測定モジュール６を制御する（Ｓ１３）。
【００２１】
そして、時間計測手段８３は、テスト実行手段８２の動作状況を監視し、テスト実行手段８２の実行中、時間計測を行う（Ｓ１４，Ｓ１５）。テスト実行手段８２のテストの実行が終了したら、時間計測手段８３は、使用状況と共に、使用時間データとして、時間記憶部７２に格納する（Ｓ１６）。
【００２２】
次に、使用料算出手段９１が、所定期間、例えば、１ヶ月経過したかを確認する（Ｓ２１）。そして、経過したら、使用料算出手段９１は、ネットワークＬを介して、テスタコントローラ８に時間データを要求する。テスタコントローラ８は、時間記憶部７２から時間データを読み出し、ネットワークＬを介して、ホストコンピュータ９に送る。この時間データを、使用料算出手段９１は読み込む（Ｓ２２）。
【００２３】
使用料算出手段９１は、時間データから、試験モジュールの種類、個数当たりの使用時間単価を用いて、使用料を算出する（Ｓ２３）。この算出結果を暗号化手段９２は暗号化する（Ｓ２４）。そして、電子メール手段９３が、機密性が保持されないネットワーク（外部）に、ネットワークＬを介して、暗号化手段９２により暗号化されたデータを送信する。また、電子メール手段９３は、機密性が保持されるネットワークＬ内（内部）に、使用料算出手段９１の使用料を電子メールで送信する（Ｓ２５）。
【００２４】
この結果、暗号化されたデータを、課金者が電子メールで受け取る。この電子メールに基づいて、請求書の発行や引き落とし等を行う。一方、使用者は、暗号化されていないデータを電子メールで受け取り、使用状況を認識する。
【００２５】
このように、使用料算出手段９１が算出した使用料を暗号化手段９２が暗号化し、電子メール手段９３が電子メールで送信するので、機密性を維持しつつ、資金効率がよく、自動課金を行うことができる。
【００２６】
また、電子メール手段９３は、機密性が保持されるネットワークＬ内の宛先に、暗号化されていない使用料のデータを送信するので、暗号化を解読する解読手段を必要とせずに、使用状況を認識することができる。
【００２７】
なお、本発明はこれに限定されるものではなく、送信手段が電子メール（ＳＭＴＰ（Ｓｉｍｐｌｅ  Ｍａｉｌ  Ｔｒａｎｓｆｅｒ  Ｐｒｏｔｏｃｏｌ））で送信する構成を示したが、ＦＴＰ（Ｆｉｌｅ  Ｔｒａｎｓｆｅｒ  Ｐｒｏｔｏｃｏｌ）、ＨＴＴＰ（ＨｙｐｅｒＴｅｘｔ  Ｔｒａｎｓｆｅｒ  Ｐｒｏｔｏｃｏｌ）で送信する構成でもよい。
【００２８】
また、暗号化手段９２を設けた構成を示したが、例えばＳＳＬ（Ｓｅｃｕｒｅ  Ｓｏｃｋｅｔ  Ｌａｙｅｒ）により、ＳＭＴＰ、ＦＴＰ、ＨＴＴＰより下位層のトランスポート層で暗号化して送信する構成でもよい。すなわち、送信手段が暗号化して送信する構成でもよい。
【００２９】
そして、時間計測手段８３の時間計測は、テスト実行手段８２の実行中に行う構成を示したがこれに限定されるものではない。例えば、時間計測手段８３が、テスト実行手段８２からの制御を受けて、ハンドラ２がテスタコントローラ８に送信するテスト開始信号により計測を開始し、テスト実行手段８２が次のプログラムを実行するまでとする構成にしてもよい。また、時間計測手段８３が、各試験モジュールの実際の動作を監視し、各試験モジュールの使用時間を計測する構成でもよい。この場合、解析手段８１が不要となる。
【００３０】
【発明の効果】
請求項１によれば、使用料算出手段が算出した使用料を暗号化手段が暗号化し、送信手段が送信するので、機密性を維持しつつ、資金効率がよく、自動課金を行うことができる。
【００３１】
請求項１によれば、送信手段は、機密性が保持されるネットワーク内の宛先に、暗号化されていない使用料のデータを送信するので、暗号化を解読する解読手段を必要とせずに、使用状況を認識することができる。
【００３２】
請求項２によれば、送信手段が、使用料算出手段が算出した使用料を、暗号化して送信するので、機密性を維持しつつ、資金効率がよく、自動課金を行うことができる。
【００３３】
請求項２によれば、送信手段は、機密性が保持されるネットワーク内の宛先に、暗号化せずに、使用料のデータを送信するので、暗号化を解読する解読手段を必要とせずに、使用状況を認識することができる。
【００３４】
請求項３，４によれば、算出した使用料を暗号化して送信するので、機密性を維持しつつ、資金効率がよく、自動課金を行うことができる。
【図面の簡単な説明】
【図１】本発明の一実施例を示した構成図である。
【図２】図１に示す装置の動作を示したフローチャートである。
【図３】図１に示す装置の動作を示したフローチャートである。
【符号の説明】
４  ＡＣ測定モジュール
５  デジタルファンクションモジュール
６  ＤＣ測定モジュール
８３  時間計測手段
９１  使用料算出手段
９２  暗号化手段
９３  電子メール手段
【図１】
0003610953.tif 000002
【図２】
0003610953.tif 000003
【図３】
0003610953.tif 000004